(57)【要約】【課題】万一天板に異常が生じても調理器の電気安全を確保すると共に、発熱源である誘導加熱コイルから発生して周囲に漏洩する磁界をも低減することができる誘導加熱調理器を得ることを目的とする。【解決手段】上面が開口する上部本体ケース３と、上部本体ケースの上面に配設されるセラミックス材より成る平面上の天板３０と、上部本体ケース内で開口位置に配設された複数の誘導加熱コイル２２と、上部本体ケース内で開口位置に配設され、各誘導加熱コイルの出力を電気的に制御する制御部を有する制御基板２３と、誘導加熱コイル及び制御基板の上方で、且つ天板の下方で天板に対向するよう上部本体ケースの上面に取り付けられ、該上部本体ケースの開口を閉鎖する導電材で形成された平板状の遮断プレート２７とを備えてなるものである。【選択図】　　　　図１
2004103544.tif 000002
【特許請求の範囲】
【請求項１】
上面に開口部を有する本体ケースに、誘導加熱コイルと該誘導加熱コイルの出力を電気的に制御する制御部を有する制御基板とをそれぞれ配設し、前記開口部を閉口するセラミックス材より成る平板状の天板を備えた誘導加熱調理器において、
前記天板の下方で前記本体ケースの開口部を閉口する導電材で形成された平板状の遮断プレートを備えたことを特徴とする誘導加熱調理器。
【請求項２】
前記遮断プレートにコイル用開口窓を形成し、該コイル用開口窓内に前記誘導加熱コイルを配置させたことを特徴とする請求項１記載の誘導加熱調理器。
【請求項３】
前記コイル用開口窓に下向きの折り曲げ部を設けたことを特徴とする請求項２記載の誘導加熱調理器。
【請求項４】
前記遮断プレートのコイル用開口窓は非磁性材よりなるシール用プレートで閉口されていることを特徴とする請求項１〜３のいずれかに記載の誘導加熱調理器。
【請求項５】
上面に開口部を有する本体ケースに誘導加熱コイルと該誘導加熱コイルの出力を電気的に制御する制御部を有する制御基板とをそれぞれ配設し、前記開口部を閉口するセラミックス材より成る平板状の天板を備えた誘導加熱調理器において、
前記天板の下方で前記本体ケースの開口部を閉口する平板状の耐熱性プラスチック又はセラミックス材より成る耐熱プレートを備えたことを特徴とする誘導加熱調理器。
【請求項６】
前記誘導加熱コイルの周囲に導電材よりなるリングの磁気シールド部材を該誘導加熱コイルを取り巻くように配設したことを特徴とする請求項５記載の誘導加熱調理器。
【請求項７】
前記耐熱性プラスチック又はセラミックス材より成る耐熱プレートは透明であることを特徴とする請求項６記載の誘導加熱調理器。
【請求項８】
前記遮断プレートの外周部は前記本体ケースの開口縁部に載置されたことを特徴とする請求項１〜７のいずれかに記載の誘導加熱調理器。
【請求項９】
前記本体ケースの開口縁部に載置されている前記遮断プレートを固着手段で該本体ケースの開口縁部に固定したことを特徴とする請求項８記載の誘導加熱調理器。
【請求項１０】
前記誘導加熱コイルの全周囲を前記遮断プレートと金属材料で形成された本体ケースで覆うことを特徴とする請求項１〜９のいずれかに記載の誘導加熱調理器。
【請求項１１】
前記遮断プレートの上面に絵や文字等を直接印刷して成る又は絵や文字等を印刷した耐熱シートより成る表示部を形成し、前記天板の少なくとも該表示部に対向する部分を透明にしたことを特徴とする請求項１〜１０のいずれかに記載の誘導加熱調理器。
【発明の詳細な説明】
【０００１】
【発明の属する技術分野】
本発明は加熱調理器、特にその組立容易な加熱調理器に関するものである。
【０００２】
【従来の技術】
従来の誘導加熱調理器は、樹脂製の筐体の底面に設けられた支柱の上に加熱コイル保持台が載置され、ネジにより固定されており、その加熱コイル保持台には加熱コイルが載置され、その上部にセラミックス製のトッププレートが配設されて構成されている（例えば、特許文献１参照。）。
【０００３】
【特許文献１】
特許第３１６３５２０号公報（第３頁、図１）
【０００４】
【発明が解決しようとする課題】
上記のような従来の誘導加熱調理器では、樹脂製の筐体の底面に設けられた支柱の上に加熱コイル保持台が載置され、ネジにより固定されており、その加熱コイル保持台に加熱コイルが載置され、その上部にセラミックス製のトッププレートが配設されているが、そのセラミックス製のトッププレートは耐衝撃性には比較的弱く、加熱調理中は平らなトッププレートに載せられた調理用鍋が磁界のために微振動したり、油炒め料理の場合、油を食材にゆきとどかすために調理用鍋を上下動させてトッププレートに当てたり、又流し台の上面にトッププレートが平面状に露出しているため、食器類が落下したりしてヒビや割れが発生し、水等の液体が筐体内に侵入して例えば周波数変換装置等の電気部品の故障を生じさせるという問題があった。
【０００５】
この発明は、万一天板に異常が生じても調理器の電気安全を確保すると共に、発熱源である誘導コイルから発生して周囲に漏洩する磁界をも低減することができる誘導加熱調理器を得ることを目的とする。
【０００６】
【課題を解決するための手段】
本発明に係る加熱調理器は、上面に開口部を有する本体ケースに、誘導加熱コイルと該誘導加熱コイルの出力を電気的に制御する制御部を有する制御基板とをそれぞれ配設し、前記開口部を閉口するセラミックス材より成る平板状の天板を備えた誘導加熱調理器において、前記天板の下方で前記本体ケースの開口部を閉口する導電材で形成された平板状の遮断プレートを備えて構成されている。
【０００７】
【発明の実施の形態】
実施の形態１．
図１は本発明の実施の形態１に係る誘導加熱調理器を流し台に組み込んだ状態の断面図、図２は同誘導加熱調理器を流し台に組み込んだ状態の斜視図、図３は同誘導加熱調理器の天板組立体を外した状態を示す斜視図、図４は図３のＡ−Ａ線断面図、図５は同誘導加熱調理器の遮断プレートの折り曲げ部と誘導加熱コイルの寸法を示す説明図、図６は図２のＡ−Ａ線断面図、図７は同誘導加熱調理器を流し台にセットし、天板組立体を外した状態の要部を示す断面図である。
図において、１は流し台２に組み込まれた誘導加熱調理器である。３は誘導加熱調理器１の上面に開口部３ａを有する金属材料で形成された上部本体ケース、４は上部本体ケース３の下部と一体に金属材料で形成された下部本体ケース、５は誘導加熱調理器１の後側の左右にそれぞれ設けられ、外気を下部本体ケース４に導入する外気導入路である。６は外気導入路５の吸気口に設けられた吸気カバー、７は下部本体ケース４の後側に形成され、外気導入路５の排出口と連通する外気取入口である。
【０００８】
８は下部本体ケース４との仕切壁となる上部本体ケース３の底部に形成された外気連通穴、９は上部本体ケース３の前壁に形成された外気排出口である。１０は下部本体ケース４の側壁に形成された外気排出口である。
１１は下部本体ケース４の前側に設けられたドア１２を有するグリラー、１３は下部本体ケース４の後側に設けられた送風機、１４は下部本体ケース４の真ん中に設けられたトランスや各種電気部品等が搭載された電源基板である。１５ａ、１５ｂはグリラー１１の前方下側に設けられた調理器用操作ツマミ及びグリラー用操作ツマミ、１６はグリラー１１の前方上側に設けられた表示部である。
【０００９】
１８は上部本体ケース３内にそれぞれ配設された３つのコイル保持台である。この各コイル保持台１８は周縁に挟持用溝１９ａを有する円形のコイル保持盤１９とコイル保持盤１９を支持する複数の保持脚２０とで構成されている。各保持脚２０の下端は上部本体ケース３の底部に取り付け固定されている。
２２は各コイル保持台１８のコイル保持盤１９に保持された渦巻状に巻回されて絶縁被覆された導線より成る誘導加熱コイルで、誘導加熱コイル２２の上面は上部本体ケース３の開口部３ａと略面一となっている。２３は上部本体ケース３の底部で、誘導加熱コイル２２の直下以外の位置に設けられ、誘導加熱コイル２２の出力を電気的に制御する制御部が搭載された制御基板である。
【００１０】
２４は上部本体ケース３の外周縁に形成された水平な天板組立体支持部、２５は天板組立体支持部２４から屈曲して延出し、最外縁が下向きのＵ字状の溝を有するクッション取付部、２６はクッション取付部２５の溝に例えば接着剤で固着された本体用クッションである。２７は上部本体ケース３の天板組立体支持部２４の内側に例えば接着剤で固着され、上部本体ケース３の開口部を覆う導電材で形成された遮断プレートである。なお、遮断プレート２７を天板組立体支持部２４にネジで固着するようにしてもよい。また、遮断プレート２７を天板組立体支持部２４に載置するようにしてもよい。
【００１１】
この遮断プレート２７には、上部本体ケース３内に配設された３つの誘導加熱コイル２２の上方対応位置にそれぞれ誘導加熱コイル２２の外径より少し大きい口径のコイル用開口窓２８が形成されている。その各コイル用開口窓２８は下向きの折り曲げ部２９を有している。そして、各コイル用開口窓２８の折り曲げ部２９の下端部がコイル保持台１８のコイル保持盤１９の周縁に設けた挟持用溝１９ａに嵌合して挟持状態に支持されている。このコイル保持盤１９における誘導加熱コイル２２が保持される面とその挟持用溝１９ａの底部とは同一平面にあるように形成されている。そして図５に示すように、遮断プレート２７の折り曲げ部２９の折曲げ長さ寸法ｔは誘導加熱コイル２２のコイル外径ｄと次に示す式の関係に設定されている。
ｔ≧ｄ
【００１２】
３０はセラミックス材で形成され、調理用鍋が載置される平板状の天板、３１は天板３０を保持する断面Ｕ字状で方形の枠体である。この枠体３１は天板３０の外形状より一回り小さい天板用窓３２を有している。
３４は枠体３１の裏側底部に適宜間隔を置いて取り付けられ、浮上がり板部３４ａにネジ穴を有する門型の天板保持受具、３６は押え片３６ａと該押え片３６ａに段差を持って連設され、ネジ穴を有する固定片３６ｂとからなる保持手段である天板保持具である。３８は取付ネジ、３９は枠体３１の天板用窓３２を構成する内側壁３１ａの内面全周に例えば接着剤で取り付けられた枠状のシール用クッションである。このシール用クッション３９の高さ寸法は枠体３１の内側壁３１の高さより高いものである。
４１は枠体３１と天板３０が一体的に組み立てられた天板組立体である。
【００１３】
この天板組立体４１は、天板３０を枠体３１の天板用窓３２を埋めるように枠体３１の内側壁３１ａに載置し、枠体３１の裏側底部に取り付けられた各天板保持受具３４の浮上がり板部３４ａのネジ穴に各天板保持具３６の固定片３６ｂのネジ穴を整合させ、各天板保持具３６の押え片３６ａを軟質部材で形成された天板保護用クッション４０を介して天板３０の外周縁に当接させ、各天板保持具３６の固定片３６ｂのネジ穴と各天板保持受具３４の浮上がり板部３４ａのネジ穴に取付ネジ３８をネジ止めして組み立てられている。
こうして組み立てられた天板組立体４１が上部本体ケース３に取り付けられて誘導加熱調理器１が構成される。そして、このように構成された誘導加熱調理器１は図２に示すように流し台２にセットされる。
なお、流し台２に予め下部本体ケース４及び上部本体ケース３をセットしておき、その上部本体ケース３に天板組立体４１を載置するようにしてもよい。また、下部本体ケース４と上部本体ケース３とを一体に構成してもよい。
【００１４】
上記のように構成された誘導加熱調理器１は、グリラー１１の前方下側に設けられた調理器用操作ツマミ１５ａを操作すると、電源基板１４や制御基板２３等が作動を開始して誘導加熱コイル２２に高周波電流の供給を開始する。誘導加熱コイル２２が発生する高周波磁界が天板３０上に載置した調理用鍋（図示省略）に鎖交すると、調理用鍋が誘導加熱され発熱する。こうして調理用鍋内に収容した調理物は加熱調理される。
また、グリラー用操作ツマミ１５ｂを操作すると、制御回路（図示省略）が作動を開始してグリラー１１のヒータ（図示せず）に電流の供給を開始し、ヒータが発熱してグリラー１１内の調理部が加熱調理される。
【００１５】
また、誘導加熱調理器１の使用中は、送風機１３が駆動しており、吸気カバー６を介して外気導入路５に取りれられた外気は下部本体ケース４の外気取入口７より下部本体ケース４内に入り送風機１３を経て電源基板１４やグリラー１１を冷却し、外気連通穴８を通って上部本体ケース３内に入り、制御基板２３や誘導加熱コイル２２を冷却し、上部本体ケース３の外気排出口９，１０から外部に排出される。
【００１６】
このように本発明の実施の形態１の誘導加熱調理器によれば、上部本体ケース３の開口部３ａは、天板組立体支持部２４の内側に外周縁が固着された３つのコイル用開口部窓２８を有する導電材で形成された遮断プレート２７で覆われ、その遮断プレート２７の上に天板３０が設けられ、上部本体ケース３内で遮断プレート２７の下方位置に制御部を搭載した制御基板２３等が配設されているので、誘導加熱調理器１の使用中に天板３０にヒビや割れが生じても、上部本体ケース３内に設けられた制御基板２３等に水等が侵入することが遮断プレート２７により防止される。
【００１７】
また、導電材で形成された遮断プレート２７は３つのコイル用開口窓２８を有し、各コイル用開口窓２８内にはコイル保持台１８のコイル保持盤１９に保持された誘導加熱コイル２２が配置されているので、運転中は誘導加熱コイル２２から発生する磁界はほとんど全てが調理用鍋（図示せず）に励磁されるが、周囲に漏洩する磁界は遮断プレート２７に誘導電流を発生させ、加熱されることで周囲に漏洩する磁界を熱に変換して抑制することができる。
【００１８】
さらに、遮断プレート２７の各コイル用開口窓２８に設けられた下向きの折り曲げ部２９がコイル保持台１８のコイル保持盤１９に保持された誘導加熱コイル２２の周囲を遮蔽する遮断壁を構成するので、誘導加熱コイル２２から発生されて周囲に漏洩する磁界をより一層抑制することができる。
また、導電材で形成された遮断プレート２７は金属材料で形成された上部本体ケース３の天板組立体支持部２４に載置されるか、又はネジで固着されているので、誘導加熱コイル２２の全周が導電性を有する遮断プレート２７と上部本体ケース３で覆われることとなり、誘導加熱コイル２２から発生する電磁波が上部本体ケース３外に漏れることが完全に防止される。
【００１９】
また、コイル保持盤１９における誘導加熱コイル２２が保持される面と遮断プレート２７の折り曲げ部２９の下端部を挟持状態に支持するコイル保持盤１９の挟持用溝１９ａの底部とは同一平面にあるように形成され、折り曲げ部２９の折曲げ長さ寸法ｔは誘導加熱コイル２２のコイル外径ｄと同じか、或いは折曲げ長さ寸法ｔが誘導加熱コイル２２のコイル外径ｄより大きければ、誘導加熱コイル２２から発生されて周囲に漏洩する磁界を抑制するのに充分である。
さらに、導電材の遮断プレート２７の外周縁が上部本体ケース３の天板組立体支持部２４に載置又は固定されて接触しているので、誘導加熱調理器１の使用中に加熱されて高温となった遮断プレート２７の熱を常時外気に触れている上部本体ケース３に容易に逃すことによって放熱させることができる。
【００２０】
実施の形態２．
図８は本発明の実施の形態２に係る誘導加熱調理器の要部を示す断面図、図９は同誘導加熱調理器を流し台にセットし、天板組立体を外した状態の要部を示す断面図、図１０は同誘導加熱調理器の遮断プレートとシール用プレートを示す斜視図である。
図において、本発明の実施の形態１と同様の構成は同一符号を付して重複した構成の説明を省略する。
この実施の形態２では、導電材で形成された遮断プレート２７の３つのコイル用開口窓２８がそれぞれ非磁性材で形成された方形のシール用プレート３３で閉口されており、シール用プレート３３の外周縁部は遮断プレート２７に例えば接着剤で接合されている。そして、そのシール用プレート３３の直下にコイル保持台１８のコイル保持盤１９に保持された誘導加熱コイル２２が位置することとなる。
【００２１】
この実施の形態２では、各誘導加熱コイル２２の直上に位置する遮断プレート２７の各コイル用開口窓２８を閉口しているシール用プレート３３は非磁性材で形成されているため、シール用プレート３３の上にある天板３０に載置される調理用鍋に対して誘導加熱コイル２２の磁束が悪影響を与えることはない。
さらに、導電材で形成された遮断プレート２７の各コイル用開口窓２８をシール用プレート３３で閉口しており、遮断プレート２７とシール用プレート３３との上に天板３０が設けられているので、誘導加熱調理器１の使用中に天板３０にヒビや割れが生じても、上部本体ケース３内に設けられた制御基板２３や誘導加熱コイル２２に水等が侵入することが遮断プレート２７とシール用プレート３３とにより防止される。
【００２２】
実施の形態３．
図１１は本発明の実施の形態３に係る誘導加熱調理器の要部を示す断面図である。
この実施の形態３は、実施の形態１の遮蔽プレート２７にランプカバー窓穴２７ａを設け、そのランプカバー窓穴２７ａにランプカバー４４を埋め込み、ランプカバー４４内に表示ランプ４５を配設したものである。
このように、上部本体ケース３に取り付けられた導電材の遮蔽プレート２７に設けたランプカバー窓穴２７ａにランプカバー４４を埋め込み、そのランプカバー４４内に表示ランプ４５を配設し、遮蔽プレート２７側に電気部品である表示ランプ４５を配設するようにしたので、天板組立体４１側には電気部品である表示ランプ４５やその配線がないため、天板３０を有する天板組立体４１を上部本体ケース３から外しても、表示ランプ４５等の充電部が露出しないため、安全である。
【００２３】
実施の形態４．
図１２は本発明の実施の形態４に係る誘導加熱調理器の要部を示す断面図である。
この実施の形態４は、シール用プレート３３の取り付け方が実施の形態２と異なると共に、遮断プレート２７に表示ランプ４５を取り付けるようにしたものである。
この実施の形態４では、図１２に示すように非磁性材で形成されたシール用プレート３３の下面で外周縁より少し内側に取付片３３ａを垂下するように設け、その取付片３３ａをコイル保持盤１９の挟持用溝１９ａに遮断プレート２７の折り曲げ部２９の下端部と共に挟持状態に支持させるようにしたものである。
また、この実施の形態４では、遮蔽プレート２７にランプカバー窓穴２７ａを設け、そのランプカバー窓穴２７ａにランプカバー４４を埋め込み、ランプカバー４４内に表示ランプ４５を配設したものである。
【００２４】
このように、非磁性材で形成されたシール用プレート３３の下面に取付片３３ａを設け、その取付片３３ａをコイル保持盤１９の挟持用溝１９ａに遮断プレート２７の折り曲げ部２９の下端部と共に挟持状態に支持させて遮断プレート２７にそのコイル用開口部窓２８を閉口するよう取り付けたので、実施の形態１の接着剤による取り付けと異なり、遮断プレート２７に対する取り付けが容易であると共に非磁性材のシール用プレート３３が破損した場合の交換も容易に行うことができる。
【００２５】
また、上部本体ケース３に取り付けられた遮蔽プレート２７に設けたランプ窓穴２７ａにランプカバー４４を埋め込み、そのランプカバー４４内に表示ランプ４５を配設し、遮蔽プレート２７側に電気部品である表示ランプ４５を配設し、天板組立体４１側には電気部品である表示ランプ４５やその配線がないため、天板３０を有する天板組立体４１を上部本体ケース３から外しても、表示ランプ４５等の充電部が露出しないため、安全である。
【００２６】
実施の形態５．
図１３は本発明の実施の形態５に係る誘導加熱調理器の要部を示す断面図である。
この実施の形態５は、実施の形態１の遮断プレート２７の代わりに耐熱プラスチック又はセラミックス材の一部である耐熱強化ガラスを用いた耐熱プレート４７を用い、誘導加熱コイル２２の周囲に磁気シールド部材４８を配設し、耐熱プレート４７に表示ランプ４５を取り付けるようにしたものである。
この実施の形態５では、実施の形態１の遮断プレート２７の代わりに透明な耐熱プレート４７を用い、その耐熱プレート４７は実施の形態１のようなコイル用開口窓２８を設けていないものである。
その耐熱プレート４７の下面でコイル保持盤１９の挟持用溝１９ａに該当する位置に取付片４７ａを垂下するように設け、その取付片４７ａをコイル保持盤１９の挟持用溝１９ａに挟持状態に支持させている。そして、耐熱プレート４７の外周縁は上部本体ケース３の天板組立体２４に載置されている。
【００２７】
また、コイル保持盤１９の挟持用溝１９ａにリング状の磁気シールド部材４８が耐熱プレート４７の取付片４７ａと共に挟持されており、その磁気シールド部材４８が誘導加熱コイル２２の周囲を取り巻くように配置されている。
さらに、この耐熱プレート４７の下面にランプ嵌合部４９を垂下するように設けており、そのランプ嵌合部４９に表示ランプ４５を嵌合させて取り付けられている。
【００２８】
このように、上部本体ケース３の開口部は透明な耐熱プレート４７で閉口され、誘導加熱コイル２２の周囲にはリング状の磁気シールド部材４８が配置させられているので、誘導加熱コイル２２から発生されて周囲に漏洩する磁界をその磁気シールド部材４８により抑制することができる。
また、上部本体ケース３の開口部は、天板組立体支持部２４の内側に外周縁が載置され、取付片４７ａがコイル保持盤１９の挟持用溝１９ａに挟持された透明な耐熱プレート４７で覆われ、その耐熱プレート４７の上に天板３０が設けられ、上部本体ケース３内で耐熱プレート４７の下方位置に制御部を搭載した制御基板２３等が配設されているので、誘導加熱調理器１の使用中に天板３０にヒビや割れが生じても、上部本体ケース３内に設けられた制御基板２３の制御部に水等が侵入することが耐熱プレート４７により防止される。
【００２９】
また、上部本体ケース３に載置された耐熱プレート４７に設けたランプ嵌合部４９に表示ランプ４５を嵌合させて取り付けられ、耐熱プレート４７側に電気部品である表示ランプ４５を配設し、天板組立体４１側には電気部品である表示ランプ４５やその配線がないため、天板３０を有する天板組立体４１を上部本体ケース３から外しても、誘導加熱コイル２２や制御基板２３が露出しないため、安全である。
なお、耐熱プレート４７はその下面に設けた取付片４７ａをコイル保持盤１９の挟持用溝１９ａに挟持させて上部本体ケース３に固定されるようにしているが、耐熱プレート４７の外周縁を上部本体ケースの天板組立体支持部２４に固定するようにした場合には取付片４７ａはなくてもよい。
また、耐熱プレート４７の外表面で誘導加熱コイルの上方以外の部分に導電材や導電塗料等を固着して導電部を形成することで、周囲に漏洩する磁界はその導電部に誘導電流を発生させ、加熱されることで周囲に漏洩する磁界を熱に変換して抑制することができる。
【００３０】
実施の形態６．
図１４は本発明の実施の形態６に係る誘導加熱調理器の要部を示す斜視図である。
この実施の形態６は、実施の形態１の遮蔽プレート２７の上に薄いガラス板５０を設け、遮断プレート２７にランプ窓穴２７ｂを設け、そのランプ窓穴２７ｂ内に表示ランプ４５を配設したものである。
このように、上部本体ケース３に取り付けられた薄いガラス板５０で覆われた遮蔽プレート２７に設けたランプ窓穴２７ｂ内に表示ランプ４５を配設し、遮蔽プレート２７側に電気部品である表示ランプ４５を配設し、天板組立体４１側には電気部品である表示ランプ４５やその配線がないため、天板３０を有する天板組立体４１を上部本体ケース３から外しても、誘導加熱コイル２２や制御基板２３が露出しないため、安全である。
また、遮断プレート４５の上に薄いガラス板５０を設けるようにしたので、遮蔽プレート２７にランプ窓穴２７ｂを設け、そのランプ窓穴２７ｂ内に表示ランプ４５を配設することができる。
さらに、ガラス板５０を天板３０と誘導加熱コイル２２間で開口部３ａを覆うよう設けることで、天板３０のヒビや割れ等により侵入する水が上部本体ケース３内に入ることを完全に防止することができ、さらにガラス板５０と天板３０を密接させることで、２枚重ね状態で剛体となり、天板３０の強度も向上する。
【００３１】
実施の形態７．
図１５は本発明の実施の形態７に係る誘導加熱調理器を流し台に組み込んだ状態の断面図、図１６は同誘導加熱調理器の天板と遮断プレートを示す斜視図である。
この実施の形態７では、実施の形態１のような天板保持受具３４と天板保持具３６を用いず、天板組立体４１を枠体３１に天板３０を接着剤により接着固定して組み立てている。即ち、天板３０を枠体３１の天板用窓３２を埋めるように枠体３１の内側壁３１ａに載置し、枠体３１の裏側底部全体と天板３０の外周面全体とを接着剤５２により接着固定して天板組立体４１を組み立てている。
このように、天板組立体４１を枠体３１に天板３０を接着剤により接着固定して組み立てることにより、枠体３１と天板３０の外周面とが接触して２枚重ね状態で剛体となり、強度が向上したものとなる。
【００３２】
また、この実施の形態７では、遮断プレート２７に形成されたコイル用開口窓２８の下向きの折り曲げ部２９に後述する耐熱ガラスで形成された保護板５３が載置されように段部２９ａが形成されている。そして、その段部２９ａの深さは段部２ａに保護板５３が載置されたときに遮断プレート２７の上面と保護板５３の上面が同一平面となるように設定されている。
従って、遮断プレート２７の各コイル用開口窓２８は段部２９ａに載置された保護板５３によって閉口されると、遮断プレート２７の上面と保護板５３の上面が同一平面となるため、遮断プレート２７上に天板組立体４１の天板３０を載置することができ、遮断プレート２７と保護板５３は天板３０と接触することとなる。
【００３３】
そして、その保護板５３の直下にコイル保持台１８のコイル保持盤１９に保持された誘導加熱コイル２２が位置することになる。
従って、天板３０が透明に形成されていて、保護板５３を不透明なものとした場合には、誘導加熱コイル２２の位置、即ち調理用鍋の載置部を印刷などにより表示することができる。また、天板３０が透明に形成されていて、保護板５３も透明なものとした場合には、誘導加熱コイル２２が見えるため、調理用鍋の載置位置が分かることとなる。
また、天板３０が不透明に形成されている場合には、遮断プレート２７の一部、例えば図１６に示すように遮断プレート２７の右上隅の上面に絵や取扱注意などの文字を直接印刷して成る又は絵や取扱注意などの文字を印刷した耐熱シートより成る表示部５４を形成し、天板３０における遮断プレート２７の表示部５４に対向する部分を透明部３０ａとして形成し、誘導加熱コイル２２に対向する部分に調理用鍋の載置部を印刷して成る鍋位置表示部５５を形成するようにしている。
【００３４】
このように、遮断プレート２７の各コイル用開口窓２８を耐熱ガラスで形成された保護板５３で閉口しており、遮断プレート２７と保護板５３の上に天板３０が設けられているので、誘導加熱調理器１の使用中に天板３０にヒビや割れが生じても、上部本体ケース３内に設けられた制御基板２３や誘導加熱コイル２２に水等が侵入することが遮断プレート２７と保護板５３とにより防止される。
また、遮断プレート２７の一部に表示部５４を形成し、天板３０に該表示部５４に対向する部分を透明な部分３０ａとして形成しているので、加熱される調理用鍋の熱を天板３０は受けるが、表示部５４は遮断プレート２７に形成されているため、表示部５４は熱の影響を受けることが少なく、表示板５４の熱劣化は少ない。
【００３５】
さらに、遮断プレート２７の各コイル用開口窓２８は段部２９ａに載置された保護板５３によって閉口されて遮断プレート２７の上面と保護板５３の上面が同一平面となるため、遮断プレート２７上に天板組立体４１の天板３０を載置させて遮断プレート２７と保護板５３が天板３０に接触させることにより、遮断プレート２７と保護板５３が天板３０に最も近接するため、遮断プレート２７の一部に形成された表示部５４が天板３０の透明部３０ａを通して見え易くなり、しかも遮断プレート２７及び保護板５３と天板３０の全体も接触して２枚重ね状態で剛体となり、強度が向上したものとなる。
なお、遮断プレート２７及び保護板５３と天板３０とを接触させず、隙間を設けても遮断プレート２７の表示部５４を天板３０の透明部３０ａを通して見ることができるが、その隙間はより小さい方が望ましいことはいうまでもない。
【００３６】
上述した本発明の実施の形態１〜７に係る誘導加熱調理器１は、流し台２に組み込んだ状態で説明しているが、流し台２の上に置いて使用するタイプに当然応用できることは言うまでもない。
また、本発明の実施の形態１〜７に係る誘導加熱調理器１は３つの誘導加熱コイル２２を用いたものとして説明しているが、３つの誘導加熱コイル２２のうち、１つ又は２つを電気抵抗加熱コイルとした誘導加熱調理器としたものについても適用があるものである。
さらに、遮断プレート２７には傾斜面や溝が形成され、万一侵入した水等を所定の安全な例えば本体ケース外に箇所に導くことは可能である。
【００３７】
【発明の効果】
以上のように本発明によれば、上面に開口部を有する本体ケースに誘導加熱コイルと該誘導加熱コイルの出力を電気的に制御する制御部を有する制御基板とをそれぞれ配設し、開口部を閉口するセラミックス材より成る平板状の天板を備えた誘導加熱調理器において、天板の下方で本体ケースの開口部を閉口する導電材で形成された平板状の遮断プレートを備えるようにしたので、誘導加熱調理器の使用中に天板にヒビや割れが生じても、上部本体ケース内に設けられた制御基板の制御部等の充電部品に水等が侵入することを遮断プレートにより防止できるという効果がある。
また、導電材の遮断プレートが本体ケースの上面に取り付けられているので、誘導加熱調理器の使用中に加熱された遮断プレートの熱を外気に直接触れている本体ケースに容易に逃すことができるという冷却効果もある。
【図面の簡単な説明】
【図１】本発明の実施の形態１に係る誘導加熱調理器を流し台に組み込んだ状態の断面図である。
【図２】同誘導加熱調理器を流し台に組み込んだ状態の斜視図である。
【図３】同誘導加熱調理器の天板組立体を外した状態を示す斜視図である。
【図４】図３のＡ−Ａ線断面図である。
【図５】同誘導加熱調理器の遮断プレートの折り曲げ部と誘導加熱コイルの寸法を示す説明図である。
【図６】図２のＡ−Ａ線断面図である。
【図７】同誘導加熱調理器を流し台にセットし、天板組立体を外した状態の要部を示す断面図である。
【図８】本発明の実施の形態２に係る誘導加熱調理器の要部を示す断面図である。
【図９】同誘導加熱調理器を流し台にセットし、天板組立体を外した状態の要部を示す断面図である。
【図１０】同誘導加熱調理器の遮断プレートとシール用プレートを示す斜視図である。
【図１１】本発明の実施の形態３に係る加熱調理器の要部を示す断面図である。
【図１２】本発明の実施の形態４に係る加熱調理器の要部を示す断面図である。
【図１３】本発明の実施の形態５に係る加熱調理器の要部を示す断面図である。
【図１４】本発明の実施の形態６に係る加熱調理器の要部を示す斜視図である。
【図１５】本発明の実施の形態７に係る誘導加熱調理器を流し台に組み込んだ状態の断面図である。
【図１６】同誘導加熱調理器の天板と遮断プレートを示す斜視図である。
【符号の説明】
１　誘導加熱調理器、２　流し台、３　上部本体ケース、４　下部本体ケース、２２　誘導加熱コイル、２７　遮断プレート。
【図１】
2004103544.tif 000003
【図２】
2004103544.tif 000004
【図３】
2004103544.tif 000005
【図４】
2004103544.tif 000006
【図５】
2004103544.tif 000007
【図６】
2004103544.tif 000008
【図７】
2004103544.tif 000009
【図８】
2004103544.tif 000010
【図９】
2004103544.tif 000011
【図１０】
2004103544.tif 000012
【図１１】
2004103544.tif 000013
【図１２】
2004103544.tif 000014
【図１３】
2004103544.tif 000015
【図１４】
2004103544.tif 000016
【図１５】
2004103544.tif 000017
【図１６】
2004103544.tif 000018